(57)【要約】【課題】頭出し再生の位置をユーザに簡単に選択できるデータ再生装置を提供する。【解決手段】ハードディスク２２に格納された動画像データのトータルの再生時間を所定の分割数で分割し、分割された時間にそれぞれ対応するように、ハードディスク２２上に複数の領域を特定し、複数の領域の各々において、最初のフレームを基準として、指定された時間間隔毎に、複数のフレームに対応する複数のアドレスを算出して、複数のアドレスにそれぞれ対応する複数の符号化画像データを読み出し、ＭＰＥＧデコーダ１２により復号化させて、複数の復号化フレームデータをメニュー画面上の所定の位置に埋め込む。【選択図】        図１
2004363767.tif 000002
【特許請求の範囲】
【請求項１】
メニュー出力モードと通常再生モードとを動作モードとして有するデータ再生装置であって、
動画像を構成している時間軸に沿って再生される複数の画面にそれぞれ対応し、符号化された複数の符号化画像データを、アドレスと相互に関連付けて格納した媒体から、指定されたアドレスの前記符号化画像データを読み出すためのデータ読み出し手段を備え、
前記データ読み出し手段は、前記メニュー出力モードにおいて、メニュー画面中に表示される複数の画面を指定するための複数のアドレスに応じて、前記複数の画面に対応する複数の前記符号化画像データを前記媒体から読み出し、
前記データ読み出し手段から、読み出された前記符号化画像データを復号化するための再生手段と、
前記再生手段により復号化された復号化画像データを一時格納するためのバッファ手段と、
前記バッファ手段に格納された前記復号化画像データに基づいて、表示画面を生成するための制御手段とをさらに備え、
前記制御手段は、メニュー出力モードにおいて、
前記媒体に格納された再生情報に基づいて、前記動画像のトータルの再生時間を所定の分割数で分割した分割時間にそれぞれ対応する前記媒体上の複数の領域を特定するための分割領域特定手段と、
前記複数の領域の各々において、最初の画面を基準として、指定された時間間隔毎に、前記複数の画面のうちの１つに対応する前記アドレスを算出するためのアドレス算出手段と、
前記複数のアドレスにそれぞれ対応する複数の前記符号化画像データを前記データ読み出し手段により読み出させ、前記再生手段により復号化させて、前記バッファ手段に格納させるための画像データ読み出し制御手段と、
複数の前記復号化画像データに対応する画面を前記メニュー画面上の所定の位置に埋め込むための表示画像生成手段とを含み、
外部からの指示入力に応じて、前記メニュー画面上に表示されている前記複数の画面のうちのいずれかを選択するための選択手段と、
選択された前記画面を起点として、前記媒体に格納された複数の前記符号化画像データに対応する映像信号を外部に前記通常再生モードで出力するための画像出力手段とをさらに備える、データ再生装置。
【請求項２】
メニュー出力モードと通常再生モードとを動作モードとして有するデータ再生装置であって、
動画像を構成している時間軸に沿って再生される複数の画面にそれぞれ対応し、符号化された複数の符号化画像データを、アドレスと相互に関連付けて格納した媒体から、指定されたアドレスの前記符号化画像データを読み出すためのデータ読み出し手段を備え、
前記データ読み出し手段は、前記メニュー出力モードにおいて、メニュー画面中に表示される複数の画面を指定するための複数のアドレスに応じて、前記複数の画面に対応する複数の前記符号化画像データを前記媒体から読み出し、
前記データ読み出し手段から、読み出された前記符号化画像データを復号化するための再生手段と、
前記再生手段により復号化された復号化画像データを一時格納するためのバッファ手段と、
前記バッファ手段に格納された前記復号化画像データに基づいて、表示画面を生成するための制御手段とをさらに備え、
前記制御手段は、メニュー出力モードにおいて、
前記媒体に格納された再生情報に基づいて、前記動画像のトータルの再生時間を所定の分割数で分割した分割時間にそれぞれ対応する前記媒体上の複数の領域を特定するための分割領域特定手段と、
前記複数の領域の各々において、最初の画面を基準として、指定された時間間隔毎に、前記複数の画面に対応する前記複数のアドレスを算出するためのアドレス算出手段と、
前記複数のアドレスにそれぞれ対応する複数の前記符号化画像データを前記データ読み出し手段により読み出させ、前記再生手段により復号化させて、前記バッファ手段に格納させるための画像データ読み出し制御手段と、
複数の前記復号化画像データに対応する画面を前記メニュー画面上の所定の位置に埋め込むための表示画像生成手段とを含む、データ再生装置。
【請求項３】
外部からの指示入力に応じて、前記メニュー画面上に表示されている前記複数の画面のうちのいずれかを選択するための選択手段と、
選択された前記画面を起点として、前記媒体に格納された複数の前記符号化画像データに対応する映像信号を外部に前記通常再生モードで出力するための画像出力手段とをさらに備える、請求項２記載のデータ再生装置。
【請求項４】
前記アドレス算出手段は、前記複数の領域の各々において、指定された前記時間間隔毎に進めた前記アドレスが前記複数の領域のうちの対応する領域の領域外となるに応じて、再び、前記最初の画面を基準として、指定された前記時間間隔毎に、前記画面に対応する前記アドレスを算出する、請求項２記載のデータ再生装置。
【発明の詳細な説明】
【０００１】
【発明の属する技術分野】
本発明は、映像データの再生を行なうためのデータ再生装置に関し、特に、頭出し再生の再生位置をサーチするための表示の構成に関する。
【０００２】
【従来の技術】
従来、データ再生装置において、ユーザが特定の再生位置から再生を行なう操作をするときに、動画像データをフレーム毎に一画面で表示していた。そのため、高速サーチ（たとえば、２６０倍速）でサーチを行なう場合、巻き戻し、あるいは、早送りにより、特定の再生位置をサーチするときに、一画面上でフレームを所定のフレーム間隔毎に、あるいは、所定の時間間隔毎に飛ばして表示していた。
【０００３】
また、表示画面上に固定された複数の静止画を表示して、ユーザは、表示された複数の静止画の中から頭出し再生の再生位置を選択することができるデジタル放送記録・再生装置がある。
【０００４】
たとえば、第１の従来例としては、記録したデジタル放送の所望のシーンからの再生を高速に開始することが可能なデジタル放送記録・再生装置について、以下のような構成が公知である（たとえば、特許文献１参照）。すなわち、第１の従来例では、デジタル放送番組のデジタルデータを記録するランダムアクセス可能なデジタルデータ格納部と、上記番組のデジタルデータを記録する際に、デジタル放送の番組内での各シーンの変化位置を検出するシーン変化位置検出部と、このシーン変化位置の情報を記録するシーン変化位置格納部と、各シーン変化位置の一つの選択を決定する入力データを受けて、シーン変化位置の情報を用いて、デジタルデータ格納部より、選択されたシーン変化位置からのデジタルデータの出力させる頭出し部と、デジタルデータ格納部から出力される番組の映像データおよび音声データのデコードを行なうデコード部とを備えるデジタル放送記録・再生装置の構成が開示されている。
【０００５】
また、第２の従来例としては、メディア記録された映像を検索する際に、よりわかりやすいサムネイル画面を提供する再生装置および記録装置について、以下のような構成が公知である（たとえば、特許文献２参照）。すなわち、第２の従来例では、プログラムを時間的にｎ等分した時点での映像を複数枚、サムネイルとして使用する構成が開示されている。
【０００６】
さらに、第３の従来例としては、チャプタよりさらに小さな単位でもディスクの記録内容を確認でき、かつ内容確認個所からアクセスできるようなプレビュー表示システムについて、以下のような構成が公知である（たとえば、特許文献３参照）。
【０００７】
すなわち、このシステムでは、ディスクから再生された映像の一部を構成する複数の静止画像が、所定の時間間隔または所定のフレーム間隔でプレビュー画像として取り込まれる。取り込まれた複数プレビュー画像のうち２以上が所定のプレビューメニューにおいて同時に表示される。プレビューメニューにより表示された複数プレビュー画像のうち、ユーザにより選択された特定の画像（映像）に対応する個所から、再生が開始されるプレビュー表示システムの構成が開示されている。
【０００８】
【特許文献１】
特開２０００−２２４５２２号公報明細書
【０００９】
【特許文献２】
特開２００１−７６４６０号公報明細書
【００１０】
【特許文献３】
特開２００１−３２６９１０号公報明細書
【００１１】
【発明が解決しようとする課題】
しかしながら、上述したように特許文献１および特許文献２のような記録・再生装置においては、画面上に表示できるのは、再生画面の縮小静止画であるサムネイルである。
【００１２】
また、上述したように特許文献３のようなプレビュー表示システムにおいては、記録媒体から再生された映像の一部を構成する複数の静止画像が所定の時間間隔または所定のフレーム間隔でプレビュー画像として取り込まれ、取り込まれた複数プレビュー画像のうち２以上が所定のプレビューメニューにおいて同時に表示される。
【００１３】
そのため、ユーザがメニュー画面上に表示される静止画以外の特定する再生位置をサーチする場合、ユーザは、メニュー画面上に表示される静止画を選択して、再生した後に、ユーザが特定する再生位置をさらにサーチを行なう必要があり、二度手間となっていた。
【００１４】
この発明は、上記のような問題点を解決するためになされたものであって、その目的は、再生位置をサーチする際に、トータルの再生時間を等分割して、それぞれの分割時間におけるフレームを表示させ、分割表示されたそれぞれのフレームをコマ送りすることにより、頭出し再生の位置をユーザに簡単に選択できるデータ再生装置を提供することである。
【００１５】
【課題を解決するための手段】
上記目的を達成するために、本発明のある局面に従うと、メニュー出力モードと通常再生モードとを動作モードとして有するデータ再生装置であって、動画像を構成している時間軸に沿って再生される複数の画面にそれぞれ対応し、符号化された複数の符号化画像データを、アドレスと相互に関連付けて格納した媒体から、指定されたアドレスの符号化画像データを読み出すためのデータ読み出し手段を備え、データ読み出し手段は、メニュー出力モードにおいて、メニュー画面中に表示される複数の画面を指定するための複数のアドレスに応じて、複数の画面に対応する複数の符号化画像データを媒体から読み出し、データ読み出し手段から、読み出された符号化画像データを復号化するための再生手段と、再生手段により復号化された復号化画像データを一時格納するためのバッファ手段と、バッファ手段に格納された復号化画像データに基づいて、表示画面を生成するための制御手段とをさらに備え、制御手段は、メニュー出力モードにおいて、媒体に格納された再生情報に基づいて、動画像のトータルの再生時間を所定の分割数で分割した分割時間にそれぞれ対応する媒体上の複数の領域を特定するための分割領域特定手段と、複数の領域の各々において、最初の画面を基準として、指定された時間間隔毎に、複数の画面のうちの１つに対応するアドレスを算出するためのアドレス算出手段と、複数のアドレスにそれぞれ対応する複数の符号化画像データをデータ読み出し手段により読み出させ、再生手段により復号化させて、バッファ手段に格納させるための画像データ読み出し制御手段と、複数の復号化画像データに対応する画面をメニュー画面上の所定の位置に埋め込むための表示画像生成手段とを含み、外部からの指示入力に応じて、メニュー画面上に表示されている複数の画面のうちのいずれかを選択するための選択手段と、選択された画面を起点として、媒体に格納された複数の符号化画像データに対応する映像信号を外部に通常再生モードで出力するための画像出力手段とをさらに備える。
【００１６】
この発明の他の局面に従うと、メニュー出力モードと通常再生モードとを動作モードとして有するデータ再生装置であって、動画像を構成している時間軸に沿って再生される複数の画面にそれぞれ対応し、符号化された複数の符号化画像データを、アドレスと相互に関連付けて格納した媒体から、指定されたアドレスの符号化画像データを読み出すためのデータ読み出し手段を備え、データ読み出し手段は、メニュー出力モードにおいて、メニュー画面中に表示される複数の画面を指定するための複数のアドレスに応じて、複数の画面に対応する複数の符号化画像データを媒体から読み出し、データ読み出し手段から、読み出された符号化画像データを復号化するための再生手段と、再生手段により復号化された復号化画像データを一時格納するためのバッファ手段と、バッファ手段に格納された復号化画像データに基づいて、表示画面を生成するための制御手段とをさらに備え、制御手段は、メニュー出力モードにおいて、媒体に格納された再生情報に基づいて、動画像のトータルの再生時間を所定の分割数で分割した分割時間にそれぞれ対応する媒体上の複数の領域を特定するための分割領域特定手段と、複数の領域の各々において、最初の画面を基準として、指定された時間間隔毎に、複数の画面に対応する複数のアドレスを算出するためのアドレス算出手段と、複数のアドレスにそれぞれ対応する複数の符号化画像データをデータ読み出し手段により読み出させ、再生手段により復号化させて、バッファ手段に格納させるための画像データ読み出し制御手段と、複数の復号化画像データに対応する画面をメニュー画面上の所定の位置に埋め込むための表示画像生成手段とを含む。
【００１７】
好ましくは、外部からの指示入力に応じて、メニュー画面上に表示されている複数の画面のうちのいずれかを選択するための選択手段と、選択された画面を起点として、媒体に格納された複数の符号化画像データに対応する映像信号を外部に通常再生モードで出力するための画像出力手段とをさらに備える。
【００１８】
好ましくは、アドレス算出手段は、複数の領域の各々において、指定された時間間隔毎に進めたアドレスが複数の領域のうちの対応する領域の領域外となるに応じて、再び、最初の画面を基準として、指定された時間間隔毎に、画面に対応するアドレスを算出する。
【００１９】
【発明の実施の形態】
以下、図面を参照しつつ本発明の実施の形態について詳細に説明する。以下の説明では、同一の構成部分には同一の符号を付してあり、それらの名称および機能も同じである。したがって、それらについて詳細な説明は繰り返さない。
【００２０】
図１は、本発明のデータ再生装置の一例である情報記録再生装置１００の構成を示すための機能ブロック図である。
【００２１】
図１を参照して、情報記録再生装置１００は、ユーザからの指示入力を受けるための操作装置２と、テレビジョン放送に含まれるアナログテレビジョン信号（以下、ＴＶ信号とする。）を受信するためのチューナ６と、チューナ６から供給されるＴＶ信号を動画像デジタルデータにエンコードするためのＭＰＥＧ（Ｍｏｖｉｎｇ  Ｐｉｃｔｕｅｒ  Ｅｘｐｅｒｔ  Ｇｒｏｕｐ）エンコーダ８と、動画像デジタルデータを格納するためのハードディスク装置１０と、動画像データをＴＶ信号にデコードするためのＭＰＥＧデコーダ１２と、外部機器と接続するための出力端子１４と、情報記録再生装置１００の動作を制御するための制御部１６と、フレームデータのバッファを行なうための外部メモリ４とを備える。また、ＴＶ信号は、少なくとも映像信号を含む。そして、チューナ６において受信される信号がデジタル信号である場合、ＭＰＥＧエンコーダ８によるエンコード処理を省略してもよい。
【００２２】
制御部１６は、再生・録画情報を一時格納するための内部メモリ２６を有するシステム制御回路１８と、メニュー画面を生成するためのＯＳＤ（Ｏｎ  Ｓｃｒｅｅｎ  Ｄｉｓｐｌａｙ）画像生成回路２０を含む。なお、内部メモリ２６に格納される情報は、外部メモリ４に格納されてもよい。
【００２３】
また、ハードディスク装置１０は、動画像データを構成している時間軸に沿って再生される複数のフレームにそれぞれ対応し、動画像データに含まれる複数の符号化フレームデータを、アドレスと相互に関連付けて格納するためのハードディスク２２と、ハードディスク２２からデータの書き込みおよび読み出しを行なうための記録・再生ヘッド２４とを含む。
【００２４】
次に、本発明の実施の形態における情報記録再生装置１００の動作についての説明を行なう。
【００２５】
ユーザが操作装置２を用いて各種操作を行なうことにより、システム制御回路１８は、各種操作に基づいて、情報記録再生装置１００を動作させることができる。
【００２６】
「各種操作」とは、たとえば、チャンネル（以下、ＣＨとする。）指定操作、録画済み番組指定操作、録画指令操作、再生指令操作、録画停止操作、再生停止操作等である。
【００２７】
また、操作装置２は、ユーザの操作に応じて、各種操作信号をシステム制御回路１８に供給する。なお、操作装置２は、情報記録再生装置１００とは分離しているリモートコントローラ（図示せず）であってもよい。
【００２８】
ユーザにより操作装置２にチャンネルの変更の指示が入力されるときに、システム制御回路１８からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）等のＣＨ指定信号がチューナ６に供給される。チューナ６は、指定されたＣＨに対応するアナログテレビジョン放送波を受信する。このとき、チューナ６は、受信したアナログテレビジョン放送波を復調して得たＴＶ信号をＭＰＥＧエンコーダ８に供給する。ＭＰＥＧエンコーダ８は、システム制御回路１８のエンコード制御信号に基づいて、ＴＶ信号に対してＭＰＥＧ符号化処理を施す。ＭＰＥＧ符号化処理が施されたＴＶ信号は、動画像データに変換される。そして、動画像データは、システム制御回路１８により、ハードディスク装置１０に書き込まれる。ハードディスク装置１０は、動画像データを書き込むとともに、システム制御回路１８の読み出し制御信号により、書き込まれた動画像データの読み出しも行なう。そして、ＭＰＥＧデコーダ１２は、システム制御回路１８のデコード制御信号に基づいて、読み出された動画像データに対して、ＭＰＥＧ復号処理を施す。ＭＰＥＧ復号処理が施された動画像データは、ＴＶ信号に変換される。変換されたＴＶ信号は、出力端子１４を介して外部機器に出力される。外部機器としては、特に限定されないが、たとえば、ディスプレイ装置２００である。
【００２９】
ＯＳＤ画像生成回路２０は、システム制御回路１８から供給された各種情報表示信号に応じた画像を表示させるための情報表示画像を生成する。そして、生成された情報表示画像は、映像信号として出力端子１４を介して外部に出力される。なお、情報表示画像とは、たとえば、動画像データ内のユーザが特定する再生位置をサーチするためのメニュー画面を含む。
【００３０】
ディスプレイ装置２００は、出力端子１４から出力された映像信号に基づいてＯＳＤ画像生成回路２０により生成される情報表示画像の表示を行なう。
【００３１】
また、情報記録再生装置１００は、動作モードとして、ユーザが特定の再生位置をサーチするためのメニュー画面を映像信号としてディスプレイ装置２００に出力して表示させるためのメニュー出力モードと、通常の再生を行なうための通常再生モードとを有する。
【００３２】
次に、本発明の実施の形態における情報記録再生装置１００がメニュー出力モードにおいて、ディスプレイ装置２００にメニュー画面を出力するときの動作について説明する。
【００３３】
ユーザの操作装置２の操作による動画像データの選択に応じて、システム制御回路１８は、動画像データのヘッダ部に含まれる再生情報に基づいて、トータルの再生時間を所定の分割数で分割する。なお、所定の分割数は、予め内部メモリ２６に格納されていてもよいし、ユーザによる分割数の指定に応じて、内部メモリ２６に格納されてもよい。また、所定の分割数は、特に限定されるものではないが、たとえば、９分割とする。
【００３４】
このとき、システム制御回路１８は、９分割された分割時間に対応するように、選択された動画像データが格納されるハードディスク２２上に９つの部分データ領域を特定する。そして、システム制御回路１８は、ハードディスク２２内に格納される動画像データに対応づけられたアドレス情報に基づいて、特定される９つの部分データ領域におけるそれぞれの最初のフレームを基準として指定される時間間隔毎のアドレスを算出する。なお、部分データ領域は、分割時間の動画像データにそれぞれ対応するデータが特定アドレスにより特定できるのであれば、必ずしも連続している領域でなくてもよい。
【００３５】
本発明の実施の形態において、各部分データ領域において、最初のフレームから指定される時間間隔毎にアドレスを算出することとして動作を説明する。なお、各部分データ領域において、最初のフレームから時間間隔毎にアドレスを算出することに特に限定されない。たとえば、各部分データ領域において、最初のフレームから指定されるフレーム分進めた後のフレームから指定される時間間隔毎にアドレスを算出してもよい。
【００３６】
システム制御回路１８は、算出されたアドレスに基づいて、９つの部分データ領域に含まれる符号化された符号化フレームデータを読み出して、メニュー画面を生成する動作を行なう。
【００３７】
図２は、選択された動画像データに基づいて、ハードディスク２２上に９つの部分データ領域を特定するときの動画像データの構造を示す模式図である。
【００３８】
図２を参照して、動画像データ２８は、再生時間等の管理情報およびタイトル等の書誌的情報を有するヘッダ部３４と、動画本体を有する実データ部３０とを含む。また、実データ部３０は、９つの領域に区分された部分データ領域３０．１〜３０．９を含む。そして、部分データ領域３０．１〜３０．９は、各部分データ領域の先頭フレーム３２．１〜３２．９を含む。
【００３９】
システム制御回路１８は、動画像データ２８の選択に応じて、ヘッダ部３４に含まれる再生情報に基づいて、トータルの再生時間を９分割する。そして、システム制御回路１８は、９分割された分割時間に対応するように、動画像データ２８が格納されるハードディスク２２上に部分データ領域３０．１〜３０．９を特定する。システム制御回路１８は、部分データ領域３０．１〜３０．９に含まれる先頭フレーム３２．１〜３２．９にそれぞれ対応するアドレスをハードディスク２２内に格納される動画像データ２８のアドレス情報に基づいて算出する。ただし、算出されるアドレスは、先頭フレーム３２．１〜３２．９に特に限定されない。たとえば、先頭フレーム３２．１〜３２．９を基準として、ユーザにより指定されるフレームのアドレスを算出してもよい。
【００４０】
このとき、システム制御回路１８は、算出された９つのアドレスに基づいて、アドレステーブルを生成する。システム制御回路１８は、生成されたアドレステーブルを内部メモリ２６に格納する。そして、以後、先頭フレーム３２．１〜３２．９から、指定される時間間隔毎、あるいは、指定されるフレーム間隔毎の、９つ部分データ領域に含まれるフレームにそれぞれ対応する９つのアドレスを算出して、アドレステーブルを上書きしていく。
【００４１】
そして、システム制御回路１８は、格納されたアドレステーブルに基づいて、ハードディスク２２内から先頭フレーム３２．１〜３２．９に対応する符号化された符号化フレームデータを読み出すとともに、ＭＰＥＧデコーダ１２により、復号化フレームデータに変換されて、外部メモリ４に格納される。
【００４２】
あるいは、システム制御回路１８は、符号化フレームデータを順次読み出していく。読み出された符号化フレームデータは、外部メモリ４に格納される。そして、システム制御回路１８は、外部メモリ４から先頭フレーム３２．１〜３２．９に対応する符号化フレームデータを順次読み出していく。そして、読み出された符号化フレームデータは、ＭＰＥＧデコーダ１２により復号化される。そして、復号化された復号化フレームデータは、再び、外部メモリ４に格納されてもよい。
【００４３】
そして、システム制御回路１８は、外部メモリ４に格納される復号化フレームデータを所定のサイズに変更する。システム制御回路１８は、外部メモリ４に格納される所定のサイズに変更された復号化フレームデータをＯＳＤ画像生成回路２０に送る。ＯＳＤ画像生成回路２０は、復号化フレームデータをメニュー画面上の所定の位置に順次埋め込んでいく。ＯＳＤ画像生成回路２０において、生成されたメニュー画面は、出力端子１４を介して、映像信号として、外部に出力される。
【００４４】
そして、システム制御回路１８は、アドレステーブルに含まれる、先頭フレーム３２．１〜３２．９からユーザにより指定される時間間隔後のフレーム、または、指定されるフレーム分進めたフレームに対応するアドレスに基づいて、ハードディスク２２から対応する符号化フレームデータを読み出して、ＭＰＥＧデコーダ１２により、復号化フレームデータに変換して、外部メモリ４に格納する。そして、システム制御回路１８は、外部メモリ４に格納される復号化フレームデータを所定のサイズに変更する。そして、システム制御回路１８は、復号化フレームデータをＯＳＤ画像生成回路２０に送る。ＯＳＤ画像生成回路２０は、所定のサイズに変更された復号化フレームデータをメニュー画面上の所定の位置に順次埋め込んでいく。そして、生成されたメニュー画面は、出力端子１４を介して、映像信号として、外部に出力される。
【００４５】
以下、同様に、指定される時間間隔毎、または、指定されるフレーム分進める毎に、アドレステーブルに基づいて、メニュー画面を生成することにより、メニュー画面に表示される９つフレームをコマ送りさせて表示させることができる。
【００４６】
このようにして、本発明の実施の形態において、９つのフレームを表示し、各フレームは、指定される時間間隔毎、あるいは、指定されるフレーム間隔毎にコマ送りして表示するメニュー画面が映像信号として出力される。
【００４７】
そして、指定される時間間隔毎、あるいは、指定されるフレーム間隔毎に進めたアドレスが各部分データ領域３０．１〜３０．９のうちの対応する部分データ領域の領域外となるに応じて、システム制御回路１８は、再び、最初のフレームを基準として、指定される時間間隔毎、あるいは、指定されるフレーム間隔毎の、フレームに対応するアドレスに基づいて、コマ送り表示を行なう。
【００４８】
図３は、ＯＳＤ画像生成回路２０が部分データ領域３０．１〜３０．９にそれぞれ含まれるフレームをメニュー画面に埋め込む動作を概念的に示す図である。
【００４９】
図３を参照して、システム制御回路１８は、部分データ領域３０．１〜３０．９のそれぞれに対応する復号化フレームデータを外部メモリ４から読み出し、所定のサイズに変更する。そして、ＯＳＤ画像生成回路２０により、サイズ変更された復号化フレームデータをそれぞれメニュー画面上の所定の位置に埋め込んでいく。そして、生成されたメニュー画面は、出力端子１４を介して、外部機器に映像信号として出力される。
【００５０】
その結果、ディスプレイ装置２００の表示画面上に９つのフレームを表示したメニュー画面が表示される。ユーザは、操作装置２の操作により選択カーソルを動かして、９つのフレームのうちのいずれか１つのフレームを選択することができる。
【００５１】
そして、システム制御回路１８は、ユーザにより選択されるフレームから再生を開始する。
【００５２】
図４および図５は、情報記録装置１００が動画像データの選択に応じて、ディスプレイ装置２００の表示画面上に９つのフレームをコマ送りさせるメニュー画面を表示させるときの動作のフローチャートである。
【００５３】
図４および図５を参照して、まず、ハードディスク装置１０は、ユーザによる動画像データの選択に応じて、動画像データに含まれるヘッダ部を読み出す（ステップＳ１０１）。
【００５４】
そして、ヘッダ部に含まれる再生情報に基づいて、システム制御回路１８は、トータルの再生時間を９分割する（ステップＳ１０２）。
【００５５】
次に、システム制御回路１８は、ハードディスク２２に格納される動画像データに対応するアドレス情報に基づいて、９つの分割時間に対応するように、ハードディスク２２上に９つの部分データ領域を特定する（ステップＳ１０３）。
【００５６】
そして、特定された９つの部分データ領域において、最初のフレームに対応するアドレスを算出する（ステップＳ１０４）。
【００５７】
このとき、算出されるアドレスは、各部分データ領域の最初のフレームに特に限定されない。たとえば、最初のフレームを基準として、指定されるフレーム分進めた後のフレームでもよい。
【００５８】
つづいて、システム制御回路１８は、算出されたアドレスの各々に基づいて、アドレステーブルを生成して、内部メモリ２６に格納する（ステップＳ１０５）。
【００５９】
そして、システム制御回路１８は、算出されたアドレスに対応するフレームから指定される時間間隔後の各部分データ領域におけるフレームのアドレスを算出する（ステップＳ１０６）。
【００６０】
システム制御回路１８は、算出された指定される時間間隔後のフレームに対応するアドレスに基づいて、テーブルを上書きして、内部メモリ２６に格納する（ステップＳ１０７）。
【００６１】
このとき、システム制御回路１８は、指定される時間間隔後のフレームに対応する算出されたアドレスが、各部分データ領域のうちの対応する部分データ領域の領域外となるか否かの判断を行なう（ステップＳ１０８）。
【００６２】
ステップＳ１０８において、算出されるアドレスが部分データ領域の領域外とならない場合、システム制御回路１８は、処理をステップＳ１０６に戻す。
【００６３】
一方、ステップＳ１０８において、算出されるアドレスが部分データ領域の領域外となる場合、アドレステーブルに基づいて、最初のフレームに対応するアドレスを読み出す（ステップＳ１０９）。
【００６４】
次に、システム制御回路１８の読み出し制御信号に応じて、ハードディスク装置１０は、動画像データから、読み出したアドレスに対応する符号化フレームデータを読み出す（ステップＳ１１０）。
【００６５】
次に、ＭＰＥＧデコーダ１２は、読み出された符号化フレームデータを復号化フレームデータにデコードして、外部メモリ４に格納する（ステップＳ１１１）。
【００６６】
そして、システム制御回路１８は、外部メモリ４から復号化フレームデータを読み出して所定のサイズに変更して、外部メモリ４に格納する（ステップＳ１１２）。
【００６７】
このとき、システム制御回路１８は、復号化フレームデータを９分割分取得したか否かを判断する（ステップＳ１１３）。
【００６８】
ステップＳ１１３において、９分割分の復号化フレームデータを取得していない場合、システム制御回路１８は、処理をステップＳ１１０に戻す。
【００６９】
一方、ステップＳ１１３において、９分割分の復号化フレームデータを取得した場合、ＯＳＤ画像生成回路２０は、外部メモリ４に格納された９つの復号化フレームデータを読み出して、メニュー画面上の所定の位置に埋め込み、メニュー画面を生成する（ステップＳ１１４）。
【００７０】
そして、生成されたメニュー画面は、出力端子１４を介して外部に映像信号として出力される（ステップＳ１１５）。
【００７１】
このとき、システム制御回路１８は、アドレステーブルから読み出されたアドレスが、指定される時間間隔毎に算出したアドレスのうちの各部分データ領域における最後のアドレスである否かの判断を行なう（ステップＳ１１６）。
【００７２】
そして、ステップＳ１１６において、指定される時間間隔毎に算出したアドレスのうちの最後のアドレスではない場合、システム制御回路１８は、アドレステーブルに基づいて、読み出したアドレスに対応するフレームから指定される時間間隔後のフレームに対応する各部分データ領域におけるアドレスを読み出す（ステップＳ１１７）。
【００７３】
そして、システム制御回路１８は、処理をステップＳ１１０に戻す。
一方、ステップＳ１１６において、指定される時間間隔毎に算出したアドレスのうちの最後のアドレスである場合、システム制御回路１８は、処理をステップＳ１０９に戻す。
【００７４】
次に、ユーザの選択カーソルの操作により、ディスプレイ装置２００の表示画面上の９分割分のフレームのうちの１つを選択されたときに、選択されたフレームに対応するアドレスを再生位置として、再生を開始するときの情報記録再生装置１００が行なう動作について説明する。
【００７５】
図６は、コマ送りされているメニュー画面上からユーザにより選択されるフレームに対応する動画像データ内のアドレスから再生を行なう動作のフローチャートである。
【００７６】
図６を参照して、システム制御回路１８は、ユーザにより選択された選択カーソルのメニュー画面上のフレームに基づいて、９分割分のフレームのうちのどのフレームが選択されたかを判別する（ステップＳ２０１）。
【００７７】
次に、システム制御回路１８は、判別されたフレームに対応するアドレスを読み出す（ステップＳ２０２）。ここで、判別されたフレームに対応するアドレスは、アドレステーブルに基づく。
【００７８】
そして、ハードディスク装置１０は、システム制御回路１８の読み出し信号に応じて、読み出されたアドレスに対応する符号化フレームデータの読み出しを開始する（ステップＳ２０３）。
【００７９】
そして、ＭＰＥＧデコーダ１２は、読み出された符号化フレームデータをＴＶ信号にデコードする（ステップＳ２０４）。
【００８０】
つづいて、デコードされたＴＶ信号は、出力端子１４を介して、外部に出力される（ステップＳ２０５）。
【００８１】
以上説明したとおり、動画像データのトータルの再生時間を９分割し、９分割された時間に対応するフレームをディスプレイ装置２００の表示画面上に９分割表示し、それぞれのフレームをコマ送りさせて表示することにより、ユーザは、表示画面上の選択カーソルにより選択されるフレームから頭出し再生を行なうことができる。
【００８２】
また、本発明の情報記録再生装置１００において、アドレステーブルに基づいて、９分割分の符号化フレームデータを一括して読み出して、メニュー画面を生成することに、特に限定されない。たとえば、９つのフレームのうちの１つずつアドレスを順番に更新させていって、順次コマ送りするようにメニュー画面を生成してもよい。
【００８３】
このように、表示画面上に所定の分割数分のフレームの表示（たとえば、９分割表示）および、表示されるフレームが指定されるフレーム分のコマ送りを行なうことにより、ユーザは、特定する再生位置のサーチを容易に行なうことができる。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８５】
【発明の効果】
動画像が格納される媒体上に所定の分割数の領域を特定する。そして、所定の分割数の領域にそれぞれ含まれるフレームをメニュー画面に合成する。このとき、メニュー画面上で、それぞれのフレームを指定される時間間隔毎にコマ送りさせることにより、ユーザは、特定の再生位置のサーチを容易にすることができる。
【図面の簡単な説明】
【図１】本発明のデータ再生装置の一例である情報記録再生装置１００の構成を示すための機能ブロック図である。
【図２】選択された動画像データに基づいて、ハードディスク２２上に９つの部分データ領域を特定するときの動画像データの構造を示す模式図である。
【図３】ＯＳＤ画像生成回路２０が部分データ領域３０．１〜３０．９にそれぞれ含まれるフレームをメニュー画面に埋め込む動作を概念的に示す図である。
【図４】情報記録装置１００が動画像データの選択に応じて、ディスプレイ装置２００の表示画面上に９つのフレームをコマ送りさせるメニュー画面を表示させるときの動作のフローチャートである。
【図５】情報記録装置１００が動画像データの選択に応じて、ディスプレイ装置２００の表示画面上に９つのフレームをコマ送りさせるメニュー画面を表示させるときの動作のフローチャートである。
【図６】コマ送りされているメニュー画面上からユーザにより選択されるフレームに対応する動画像データ内のアドレスから再生を行なう動作のフローチャートである。
【符号の説明】
２  操作装置、４  外部メモリ、６  チューナ、８  ＭＰＥＧエンコーダ、１０  ハードディスク装置、１２  ＭＰＥＧデコーダ、１４  出力端子、１６  制御部、１８  システム制御回路、２０  ＯＳＤ画像生成回路、２２  ハードディスク、２４  記録・再生ヘッド、２６  内部メモリ、２８  動画像データ、３０実データ部、３０．１〜３０．９  部分データ領域、３２．１〜３２．９  先頭フレーム、３４  ヘッダ部、１００  情報記録再生装置、２００  ディスプレイ装置。
【図１】
2004363767.tif 000003
【図２】
2004363767.tif 000004
【図３】
2004363767.tif 000005
【図４】
2004363767.tif 000006
【図５】
2004363767.tif 000007
【図６】
2004363767.tif 000008